(57)【特許請求の範囲】
【請求項１】
本体内を仕切壁によって上部室と下部室に仕切り、上部室に水タンク及び蒸気案内筒などを収容し、下部室に蒸発皿及び送風機などを収容した加湿機において、前記仕切壁の隅部を上方に立上げて下部室の隅部に本体上部まで突出する幅狭の基板収容部を形成し、この基板収容部内に操作用スイッチ及び表示用ランプ等を搭載したプリント配線基板をセットした操作パネルを収容して本体の上部側壁に沿って操作パネルを取り付けたことを特徴とする加湿機。
【請求項２】
前記操作パネルは、背面側に取り付け用の支柱を有し、この支柱を前記本体の仕切壁下面に固定したことを特徴とする請求項１記載の加湿機。
【請求項３】
前記基板収容部は、上部室の水タンク収容部と隣接するように設けたことを特徴とする請求項１記載の加湿機。
【請求項４】
前記操作パネルは、取り付け用支柱を設けた側の端部に握り部を有することを特徴とする請求項２記載の加湿機。
【発明の詳細な説明】
【０００１】
【発明の属する技術分野】
本発明は、蒸気を発生することによって室内を加湿する加湿機に関し、特に、操作パネルの取り付け構造に関するものである。
【０００２】
【従来の技術】
従来の加湿機は図５及び図６に示すように、合成樹脂製の本体１は、内部を仕切壁４によって上部室２と下部室３とに仕切られている。そして、前記上部室２内には水タンク５、蒸気案内筒６が収容され、下部室３内にはヒータ７、蒸発皿８、送風機９等が収容されている。また、上部室２の上面開口は蓋体１１で覆われ、下部室３の下面開口は底板１２で覆われている。そして、本装置の操作及び表示を行うためのスイッチ、ランプ、ブザー等を搭載したプリント配線基板１３は一部のスイッチの押釦部分や表示ランプの集光部分を一体に形成した操作パネル１４とともに前記下部室３内において、本体１の下部側壁に形成した断面Ｌ字状の一対の支持壁１７間に保持されて取り付けられている。
【０００３】
【発明が解決しようとする課題】
従来の加湿機は上記のように構成されているので、本体１を床やローテーブルなど、低い場所に置いて使用した場合に、本体１の下部側面に操作用スイッチや表示ランプ等があるので、非常に操作がしにくく、また、運転状態や現在湿度などを表示するランプの表示も見にくいという問題点があった。
【０００４】
また、下部室３内において、蒸気を発生させるためのヒータ７に対して、プリント配線基板１３の設置位置があまり距離を遠くできないので、ヒータ７からの発生熱の影響を受け易い。たとえば、プリント配線基板１３上の電気部品の電解コンデンサは、その周囲温度が高いと劣化寿命が徐々に短くなるなどや、高温度の場所には劣化寿命が長い高価な高温度対応の電解コンデンサを使わなければならないなど、プリント配線基板１３上の電気部品の劣化寿命に大きく影響を及ぼすなどの問題点があった。
【０００５】
本発明は上記のような課題を解消するためになされたもので、操作用スイッチの操作がし易く、また、ランプ等の表示も見易く、しかも、プリント配線基板上の電気部品等がヒータからの発生熱の影響を受けない加湿機を提供することを目的とする。
【０００６】
【課題を解決するための手段】
本発明に係る加湿機は、本体内を仕切壁によって上部室と下部室に仕切り、上部室に水タンク及び蒸気案内筒などを収容し、下部室に蒸発皿及び送風機などを収容した加湿機において、前記仕切壁の隅部を上方に立上げて下部室の隅部に本体上部まで突出する幅狭の基板収容部を形成し、この基板収容部内に操作用スイッチ及び表示用ランプ等を搭載したプリント配線基板をセットした操作パネルを収容して本体の上部側壁に沿って操作パネルを取り付けたものである。
【０００７】
また、前記操作パネルは、背面側に取り付け用の支柱を有し、この支柱を前記本体の仕切壁下面に固定したものである。
【０００８】
また、前記基板収容部は、上部室の水タンク収容部と隣接するように設けたものである。
【０００９】
また、前記操作パネルは、取り付け用支柱を設けた側の端部に握り部を一体に有するものである。
【００１０】
【発明の実施の形態】
実施の形態１．
図１は本発明の実施の形態１を示す加湿機の断面図であり、図２はその要部拡大断面図である。
図１及び図２において、１は合成樹脂製の本体で、内部を上部室２と下部室３とに仕切る仕切壁４を有している。前記上部室２内には水タンク５、蒸気案内筒６が収容され、下部室３内にはヒータ７、蒸発皿８、送風機９、が収容されている。１０は本体１の仕切壁４の隅部を上方に立上げて形成した基板収容部であり、本体１内の上部まで突出して前記上部室２の水タンク４収容部と隣り合うように設けている。１１は上部室２の上面開口を塞ぐように設けた蓋体、１２は下部室３の下面開口を塞ぐように設けた底板である。
【００１１】
１３は本装置の操作及び表示を行うスイッチ、ランプ、ブザー等を搭載しているプリント配線基板で、前記スイッチの一部の押釦部分や表示ランプの集光部分を一体に形成した操作パネル１４とともに前記基板収容部１０内に収容されて本体１の上部内面に取り付けられている。１５はこの操作パネル１４に設けた一対の取付け用支柱、１６は一対の支柱１５を本体１内で固定しているねじ、１８は操作パネル１４の支柱１５を形成した側の端部に一体に形成した握り部、１９は前記基板収容部１０に相対する本体１の上方部に設けられたパネル取付部、２０パネル取付部１８の外表面に貼り付けた装飾シートである。
【００１２】
次に、上記構成からなる実施の形態１の操作パネル１４の本体１への取付け方法について説明する。
まず、図３に示すように、本装置の操作及び表示を行うスイッチ、ランプ、ブザー等を搭載したプリント配線基板１３を操作パネル１４の裏面にセットする。次に、このプリント配線基板１３をセットした操作パネル１４を本体１の下面開口より下部室３内に挿入して基板収容部１０内に収容する。このとき、本体１はその下面開口が上になるように反転させた状態にして作業を行う。操作パネル１４が本体１の基板収容部１０内の所定位置に収容されると、操作パネル１４と一体に設けられた押釦部分やランプの集光部分の位置が本体１のパネル取付部１９に形成された各透孔内に収まり、かつ、該操作パネル１４に設けた一対の支柱１５が仕切壁４の下面に当接するので、この状態で、一対の支柱１５をねじ１６によって仕切壁４に固定する。最後に、本体１のパネル取付部１９の外表面に装飾シート２０を貼り付けることにより、操作パネル１４の本体１への取り付けがすべて完了する。
【００１３】
ここで、操作パネル１４を本体１に取り付けている一対の支柱１５は、プリント配線基板１３の取り付け面とはほぼ垂直に近い角度に形成されており、本体１の仕切壁４の下面に平行に当接してねじ１５で固定される。また、この操作パネル１４の支柱１５を形成した側の端部には握り部１８を一体に形成しているので、前記操作パネル１４をスペースの狭い基板収容部１０内にセットする場合、前記握り部１８を手で持ちながら作業が行うことができるので、本体１上部に設けたパネル取付部１９の各透孔に対して、操作パネル１４のスイッチ部やランプ部を簡単に嵌合させてセットすることができ、組立作業が容易となる。
【００１４】
よって、上記実施の形態１の構成によれば、床やローテーブルなど低いところに置いた場合でも、操作パネル１４の表示が見やすく、また、スイッチ操作もし易くなる一方、プリント配線基板１３をヒータ７より遠く離れた熱影響の少ない上部室２側の位置に設置でき、しかも、水タンク５収容部と隣り合うように設置しているので、プリント配線基板１３上の電解コンデンサ等の電気部品も高価な耐高温度部品を使用することなく、安価な耐通常温度部品を使うことができるので、コストを安くすることができる。
【００１５】
また、操作パネル１４の端部に握り部１８を一体に設けているので、本体１に操作パネル１４を取り付ける場合、スペースの狭い基板収容部１０であっても所定位置に操作パネル１４を容易にセットでき、かつ、ねじ１６を締める際には操作パネル１４の押さえ付けができるなど、組立て性の向上が図れ、組立て時間も短縮できる。
【００１６】
実施の形態２．
図４は本発明の実施の形態２を示す要部拡大断面図である。
この実施の形態２は、操作パネル１４を本体１の仕切壁４に対してねじ１６を使用しないで固定するようにしたものである。
図４において、上記実施の形態１と同一部分には同一符号を用いて説明は省略する。２１は前記本体１の仕切壁４と一体に形成した爪片であり、操作パネル１４の一対の支柱１５に形成した開口２２に弾性係合するように構成している。
【００１７】
このように構成することにより、実施の形態１に示したねじ１６を使用しないで、操作パネル１４の支柱１６を本体１の仕切壁４に固定することができる。また、操作パネル１４を本体１から取り外すときは、操作パネル１４に設けた握り部１８を持って反係合方向へ押しながら引き出すようにすれば、爪片２１と開口２２との係合が簡単に解除できるので、分解作業も容易に行える。
【００１８】
【発明の効果】
以上のように、本発明によれば、本体内を仕切壁によって上部室と下部室に仕切り、上部室に水タンク及び蒸気案内筒などを収容し、下部室に蒸発皿及び送風機などを収容した加湿機において、前記仕切壁の隅部を上方に立上げて下部室の隅部に本体上部まで突出する幅狭の基板収容部を形成し、この基板収容部内に操作用スイッチ及び表示用ランプ等を搭載したプリント配線基板をセットした操作パネルを収容して本体の上部側壁に沿って操作パネルを取り付けたので、床やローテーブルなど低い場所に本体を置いて使用した場合でも、操作パネルのスイッチ操作がし易く、表示も見やすくなるという効果が得られる。また、プリント配線基板をヒータより遠く離れた位置に設置することができ、プリント配線基板上の電気部品をヒータからの熱影響を解消できるので、安価な耐通常温度部品を使えるようになり、コストを安くすることができる等の効果が得られる。
【００１９】
また、本発明によれば、前記操作パネルは、背面側に取り付け用の支柱を設け、この支柱を前記本体の仕切壁下面にねじ止め又は弾性係合して固定することにより、操作パネルの固定を広いスペース部分で行えるので、本体への固定が従来同様に容易に行え、コストの削減や組立て性の向上が図れ、組立時間を短縮することができるという効果が得られる。
【００２０】
また、本発明によれば、前記基板収容部は、上部室の水タンク収容部と隣り合うように設けることにより、プリント配線基板をヒータより遠く離れた位置に設置することができるばかりでなく、水タンク収容部を介して冷却効果が期待できるので、より一層プリント配線基板上の電気部品をヒータからの熱影響を解消できるという効果が得られる。
【００２１】
さらに、本発明によれば、前記操作パネルは、取り付け用支柱を設けた側の端部に握り部を一体に設けることにより、操作パネルを本体に取り付ける際に狭いスペースからなる基板収容部であっても、容易に所定位置に収容することができ、かつ、支柱をねじ止めによって固定する場合は、ねじ締め時の押さえ付け用に使用でき、爪片による弾性係合によって固定する場合は、係合解除用に使用することができるので、組立て時間や分解時間を短縮できる。
【図面の簡単な説明】
【図１】  本発明の実施の形態１を示す加湿機の断面図である。
【図２】  図１の要部拡大断面図である。
【図３】  本発明の実施の形態１における操作パネルを背面から見た斜視図である。
【図４】  本発明の実施の形態２を示す要部拡大断面図である。
【図５】  従来の加湿機を示す断面図である。
【図６】  従来の加湿機の要部拡大断面図である。
【符号の説明】
１  本体、２  上部室、３  下部室、４  仕切壁、５  水タンク、６  蒸気案内筒、７  ヒータ、８  蒸発皿、９  送風機、１０  基板収容部、１３  プリント配線基板、１４  操作パネル、１５  支柱、１６  ねじ、１８  握り部、１９パネル取付部、２１  爪片、２２  開口。
【図１】
0003823624.tif 000002
【図２】
0003823624.tif 000003
【図３】
0003823624.tif 000004
【図４】
0003823624.tif 000005
【図５】
0003823624.tif 000006
【図６】
0003823624.tif 000007